(57)【要約】【課題】電子機器のさらなる小型化、薄型化が推し進められる一方で、向きが変えられる大型の表示装置を搭載したいという、相反する要望がある。このような要望を満たしつつ、かつレイアウト設計の自由度確保の観点からも、表示装置の回転動作を許容する、小型の電子機器に適したヒンジ機構が求められていた。【解決手段】上記課題を解決するために、ベース部材と被回転部材を接続するヒンジユニットは、ベース部材に対する被回転部材の回転に応じて平行移動する回転軸を備える。【選択図】図１５
2011176754.tif 000002
【特許請求の範囲】
【請求項１】
ベース部材と被回転部材を接続するヒンジユニットであって、
前記ベース部材に対する前記被回転部材の回転に応じて平行移動する回転軸を備えるヒンジユニット。
【請求項２】
前記回転軸に接続され、前記被回転部材と共に回転するカムと、
前記カムの回転に伴って平行移動する前記回転軸を案内する案内部と、
前記回転軸を前記案内部が案内する案内方向に付勢する付勢部と
を有する請求項１に記載のヒンジユニット。
【請求項３】
前記案内部は、前記ベース部材に対して相対的に固定されたフレームに設けられた長穴により構成される請求項２に記載のヒンジユニット。
【請求項４】
前記被回転部材は表示ユニットであり、
前記表示ユニットの表示面を挟む対向する２面において前記表示ユニットを軸支する請求項１から３のいずれか１項に記載のヒンジユニットを含む表示装置。
【請求項５】
前記表示ユニットが前記ベース部材に対して収納状態にあるとき、
前記表示ユニットの１面と前記ベース部材の１面が共通面に存在する請求項４に記載の表示装置。
【請求項６】
前記表示ユニットを前記ベース部材から平行に引き出すスライド機構を備える請求項４または５に記載の表示装置。
【請求項７】
前記表示ユニットは、前記ヒンジユニットにより前記ベース部材に対する収納状態から所定の角度まで回転し、前記所定の角度以上は他のヒンジユニットの作用により回転する請求項４から６のいずれか１項に記載の表示装置。
【請求項８】
請求項４から７のいずれか１項に記載の表示装置を備える撮像装置。
【発明の詳細な説明】
【技術分野】
【０００１】
本発明は、ヒンジユニット、表示装置および撮像装置に関する。
【背景技術】
【０００２】
デジタルカメラに代表される撮像装置等においては、小型携帯電子機器でありながら大画面の表示装置を搭載することが求められている。同時に、ユーザの視線方向に合わせて表示装置の向きを変えられるメカニカルな機構の搭載も求められている。例えば、表示装置が機器筐体に対して直角方向に開閉し、使用時においてはユーザの視線に直交するビデオカメラが知られている。
【先行技術文献】
【特許文献】
【０００３】
【特許文献１】特開２００１−５３９９４号公報
【発明の概要】
【発明が解決しようとする課題】
【０００４】
電子機器のさらなる小型化、薄型化が推し進められる一方で、向きが変えられる大型の表示装置を搭載したいという、相反する要望がある。このような要望を満たしつつ、かつレイアウト設計の自由度確保の観点からも、表示装置の回転動作を許容する、小型の電子機器に適したヒンジ機構が求められていた。
【課題を解決するための手段】
【０００５】
上記課題を解決するために、本発明の一つの態様におけるヒンジユニットは、ベース部材と被回転部材を接続するヒンジユニットであって、ベース部材に対する被回転部材の回転に応じて平行移動する回転軸を備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】下開き式である従来のモニターユニットを備えるカメラの背面図である。
【図２】下開き式である本実施形態に係るモニターユニットを備えるカメラの背面図である。
【図３】横開き式である従来のモニターユニットを備えるカメラの背面図である。
【図４】横開き式である本実施形態に係るモニターユニットを備えるカメラの背面図である。
【図５】下開き式である本実施形態に係るモニターユニットを備えるカメラの底面斜視図である。
【図６】モニターユニットの係止状態を示す側面図である。
【図７】モニターユニットの係止解除状態を示す側面図である。
【図８】係止状態のモニターユニットとカメラ本体の関係を示す断面図である。
【図９】係止解除状態のモニターユニットとカメラ本体の関係を示す断面図である。
【図１０】モニターユニットを９０度開いた状態を示す側面図である。
【図１１】モニターユニットを９０度開いた状態を示す側面図である。
【図１２】モニターユニットの表示面を反転させる様子を示す側面図である。
【図１３】モニターユニットの表示面が上向きの状態を示す側面図である。
【図１４】図１４は、モニターユニットを１８０度開いた状態を示す側面図である。
【図１５】ヒンジ機構の分解斜視図である。
【図１６】モニターユニットが回転される前の状態におけるヒンジ機構の拡大図である。
【図１７】モニターユニットを４５度開いた状態におけるヒンジ機構の拡大図である。
【図１８】モニターユニットを９０度開いた状態におけるヒンジ機構の拡大図である。
【図１９】図２のＥ−Ｅ断面図のうち、リンクカバー内部近傍の断面図である。
【図２０】図２のＥ−Ｅ断面図のうち、ヒンジカバー内部近傍の断面図である。
【図２１】変形例に係るヒンジ機構の分解斜視図である。
【図２２】変形例に係るリンクカバー内部近傍の断面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
以下の実施例は一例として、本実施形態に係るヒンジユニットを、デジタルカメラに搭載される可動式の表示装置に適用した場合について説明する。ヒンジユニットは、デジタルカメラ以外であっても、ビデオカメラ、携帯電話、ノートパソコン等の携帯型電子機器にも適用され得る。
【００１０】
図１は、下開き式である従来のモニターユニット８０１を備えるカメラ８００の背面図である。モニターユニット８０１は、撮影後の画像、ライブビュー画像、メニュー項目等の表示するモニター部を含んで構成される。モニター部には、液晶素子、有機ＥＬ素子等が用いられる。モニターユニット８０１は、図示するようにカメラ８００の背面に収納されて表示面をユーザに向ける姿勢から、ヒンジユニット８０２の回転軸周りに回転して所定の回転角で静止する姿勢を取り得る。このように下方向に開く下開き式のモニターユニット８０１を搭載するカメラ８００によれば、例えば、ユーザはライブビュー画像を表示させたモニターユニット８０１を斜め下方向に向け、カメラ８００を持ち上げて被写体を視認しつつハイアングル撮影を行うことができる。
【００１１】
しかしながら、従来のヒンジユニット８０２では高さ方向のＢ寸法が必要であり、カメラ８００の高さＡ寸法が決められていると、モニターユニット８０１を小型化せざるを得なかった。モニター部は、大きければその分視認性が向上するので大きいことが望ましいが、ヒンジユニット８０２の存在がモニター部の大型化を妨げていた。
【００１２】
図２は、下開き式である本実施形態に係るモニターユニット１０１を備えるカメラ１００の背面図である。本実施形態におけるモニターユニット１０１も、撮影後の画像、ライブビュー画像、メニュー項目等の表示するモニター部を含んで構成される。モニター部には、液晶素子、有機ＥＬ素子等が用いられる。モニターユニット１０１は、図示するようにカメラ１００の背面に収納されて表示面をユーザに向ける姿勢から、ヒンジユニット１０２の回転軸周りに回転して所定の回転角で静止する姿勢を取り得て、従来の下開き式のモニターユニットと同様の機能を備える。
【００１３】
ヒンジユニット１０２の具体的な構成については後述するが、ヒンジユニット１０２は、モニター面を挟む対向する２面においてモニターユニット１０１を軸支する構造を有する。このような構造を有することにより、カメラ１００の決められた高さＡ寸法に対して、モニター部を相対的に大きく構成することができる。ひいては、カメラ１００の設計の自由度を高めることができる。
【００１４】
図３は、横開き式である従来のモニターユニット９０１を備えるカメラ９００の背面図である。モニターユニット９０１は、撮影後の画像、ライブビュー画像、メニュー項目等の表示するモニター部を含んで構成される。モニター部には、液晶素子、有機ＥＬ素子等が用いられる。モニターユニット９０１は、図示するようにカメラ９００の背面に収納されて表示面をユーザに向ける姿勢から、ヒンジユニット９０２の回転軸周りに回転して所定の回転角で静止する姿勢を取り得る。このように横方向に開く横開き式のモニターユニット９０１を搭載するカメラ９００によれば、例えば、ユーザは被写体を視認しつつ縦画角のハイアングル撮影を行うことができる。しかしながら、従来のヒンジユニット９０２では幅方向のＤ寸法が必要であり、カメラ９００の幅Ｃ寸法が決められていると、モニターユニット９０１を小型化せざるを得なかった。
【００１５】
図４は、横開き式である本実施形態に係るモニターユニット２０１を備えるカメラ２００の背面図である。本実施形態におけるモニターユニット２０１も、撮影後の画像、ライブビュー画像、メニュー項目等の表示するモニター部を含んで構成される。モニター部には、液晶素子、有機ＥＬ素子等が用いられる。モニターユニット２０１は、図示するようにカメラ２００の背面に収納されて表示面をユーザに向ける姿勢から、ヒンジユニット２０２の回転軸周りに回転して所定の回転角で静止する姿勢を取り得て、従来の横開き式のモニターユニットと同様の機能を備える。
【００１６】
ヒンジユニット２０２の具体的な構成は、ヒンジユニット１０２と同様である。このようなヒンジ構造を有することにより、カメラ２００の決められた幅Ｃ寸法に対して、モニター部を相対的に大きく構成することができる。ひいては、カメラ２００の設計の自由度を高めることができる。
【００１７】
図５は、下開き式である本実施形態に係るモニターユニット１０１を備えるカメラ１００の底面斜視図である。モニターユニット１０１はモニター面を挟む両側面から２つのヒンジユニット１０２により軸支されている。２つのヒンジユニット１０２は、モニターユニット１０１の両側面から延出して裏面側で接続されるリンクカバー１０４に収容されている。リンクカバー１０４は、カメラ本体１０３と接続されているヒンジユニット１０５に軸支される。ヒンジユニット１０５は、ヒンジカバー１０６に収容されている。
【００１８】
つまり、本実施形態においては、モニターユニット１０１は、カメラ本体１０３との間に、対のヒンジユニット１０２と、ヒンジユニット１０５を備える。対のヒンジユニット１０２は、モニターユニット１０１に対して、予め定められた角度の範囲における下開きを実現する。ヒンジユニット１０５は、モニターユニット１０１に対して、ヒンジユニット１０２が許容する回転角度を継いで更に所定の角度の範囲における下開きを実現すると共に、ヒンジユニット１０２の回転軸に直交する回転軸周りの回転を実現する。具体的な機構については後述する。
【００１９】
図６は、モニターユニット１０１の係止状態を示す断面図である。係止状態はカメラ本体１０３にモニターユニット１０１が収納された状態であり、モニター係止爪１０７によりモニターユニット１０１の周縁部が係止されている。モニター係止爪１０７が係止する係止箇所は、図示するようにモニターユニット１０１の上面部であっても良いし、側面部、背面部等に設けても良い。
【００２０】
図７は、モニターユニット１０１の係止解除状態を示す断面図である。モニター係止爪１０７を解除すると、ヒンジユニット１０５が備えるスライド機構１０８の作用により、モニターユニット１０１がカメラ本体１０３から平行に押し出される。このとき、リンクカバー１０４もモニターユニット１０１と共に平行に押し出され、カメラ本体１０３の背面から離間する。
【００２１】
図８は、係止状態のモニターユニット１０１とカメラ本体１０３の関係を示す側面図である。この状態は図６の収納状態と同様であり、モニターユニット１０１はモニター係止爪１０７に係止されて、カメラ本体１０３の背面に密着している。このとき、モニターユニット１０１の表示面１０９は、カメラ本体１０３とは反対側に向けられている。
【００２２】
図９は、係止解除状態のモニターユニット１０１とカメラ本体１０３の関係を示す側面図である。この状態は図７の収納解除状態と同様であり、モニターユニット１０１は、スライド機構１０８の作用によりカメラ本体１０３の背面から離間する。モニターユニット１０１は、この状態からリンクカバー１０４に収容されているヒンジユニット１０２の作用により下向きに回転可能となる。なお、回転軸１１０は、ヒンジユニット１０２を軸支するヒンジユニット１０２の回転中心である。
【００２３】
図１０は、モニターユニット１０１を４５度開いた状態を示す側面図である。図示するように、下向きにモニターユニット１０１を回転させると、ユーザは所定の角度で表示面１０９を観察することができる。ヒンジユニット１０２の詳細な構造は後述するが、回転軸１１０は、モニターユニット１０１の回転に応じて上方向に平行に移動する。平行に移動するとは、移動する前後の回転軸１１０が平行であることを意味する。別言すると、回転軸１１０が上方向に移動しても、被回転部材であるモニターユニット１０１の回転の向きは変化しない。特に、上述のようにモニターユニット１０１は両側面から２つのヒンジユニット１０２により軸支されているが、２つのヒンジユニット１０２の回転軸１１０を結ぶ直線が平行移動するとも言える。このように構成することで、係止状態において、カメラ本体１０３の底面とモニターユニット１０１の底面を、同一面に合わせることができる。また、回転に伴ってモニターユニット１０１の一部が、リンクカバー１０４のうちモニターユニット１０１とカメラ本体１０３の間に位置する梁の部分と干渉することを防ぐことができる。
【００２４】
図１１は、モニターユニット１０１を９０度開いた状態を示す側面図である。この状態では、表示面１０９は真下を向いている。上述のように、ヒンジユニット１０２の作用によりモニターユニット１０１を下開きの方向へ回転させることができるが、さらに、ヒンジカバー１０６に収容されたヒンジユニット１０５の作用により、回転軸１１０に直交する方向にモニターユニット１０１を回転させることができる。
【００２５】
図１２は、モニターユニット１０１の表示面を反転させる様子を示す側面図である。図示するように、モニターユニット１０１を、ヒンジユニット１０５の第１の回転軸１１１の周りにリンクカバー１０４ごと回転させることができる。ユーザは、反転するまでの途中の角度で止めれば、カメラ本体１０３の側方から表示面１０９を視認できる。
【００２６】
図１３は、モニターユニット１０１が反転され、表示面１０９が上向きになった状態を示す側面図である。この状態であれば、ユーザはカメラ１００を見下ろす姿勢でローアングル撮影を行うことができる。
【００２７】
ヒンジユニット１０２は、モニターユニット１０１を下向きに９０度まで回転させることができるが、更に下向きに回転させようとすると、ヒンジユニット１０５が作用して回転を許容する。ヒンジユニット１０５の具体的な構造は後述するが、ヒンジユニット１０５は、モニターユニット１０１を１８０度開いた状態まで回転させることができる。
【００２８】
図１４は、モニターユニット１０１を１８０度開いた状態を示す側面図である。モニターユニット１０１は、ヒンジユニット１０５の第２の回転軸１１２周りに、ヒンジカバー１０６ごと回転する。すなわち、ヒンジユニット１０５は、互いに直交する第１の回転軸１１１と第２の回転軸１１２の２つの回転軸を有する。
【００２９】
次に、ヒンジユニット１０２の具体例を説明する。図１５は、ヒンジ機構を構成するヒンジユニット１０２の分解斜視図である。図示するように回転軸１１０に沿って順に、シャフト３０１、リンクプレート３０２、ばねホルダー３０３、クリックカム３０４、第１座金３０５、ばね座金３０６、第２座金３０７、ポリスライダー３０８、モニターフレーム３０９、開閉カム３１０、ナット３１１が配置されており、全体をシャフト３０１が貫通して、シャフト３０１の先端に設けられたネジ部３２２とナット３１１が噛合して各要素を挟み込む構造を成す。
【００３０】
シャフト３０１にはキー溝３２１が設けられており、また、開閉カム３１０の貫通穴には平行キー３２３が設けられている。キー溝３２１と平行キー３２３が噛み合うことで、シャフト３０１と開閉カム３１０は一体的に回転できる。リンクプレート３０２は、リンクカバー１０４に固定されており、シャフト３０１を案内する案内部３２４を有する。案内部３２４は、図示するようにシャフト３０１を上下方向に平行移動させる長穴である。モニターフレーム３０９は、モニターユニット１０１に固定されるフレームであり、開閉カム３１０と一体的に回転する。つまり、モニターユニット１０１が外力を受けて回転されると、開閉カム３１０も一体的に回転する。
【００３１】
シャフト３０１は、ばねホルダー３０３を貫通しており、ばねホルダー３０３は、モニターフレーム３０９に固定されたばね３１２によって付勢されている。従って、シャフト３０１は、下方向に常に付勢される。
【００３２】
図１６は、モニターユニット１０１が回転される前の状態におけるヒンジ機構の拡大図である。このとき、シャフト３０１はばね３１２により下向きに付勢され、案内部３２４の下端に位置する。従って、シャフト３０１に挿通されている開閉カム３１０も下方に位置し、開閉カム３１０と一体的に構成されているモニターユニット１０１も下向きに付勢される。このような作用により、モニターユニット１０１は、がたつくことなくカメラ本体１０３に収容された状態を取り得る。
【００３３】
図１７は、モニターユニット１０１を４５度開いた状態におけるヒンジ機構の拡大図である。モニターユニット１０１がユーザにより回転されると、開閉カム３１０も矢印方向に回転し、開閉カム３１０のカム面がリンクプレート３０２の底面と接触摺動することにより、シャフト３０１が案内部３２４に沿って持ち上がる。シャフト３０１の中心軸である回転軸１１０も、シャフト３０１の移動に追従する。
【００３４】
図１８は、モニターユニット１０１を９０度開いた状態におけるヒンジ機構の拡大図である。開閉カム３１０のカム作用により、シャフト３０１はばね３１２の付勢力に抗して案内部３２４の上端まで持ち上がる。このとき、回転軸１１０の移動量は、シャフト３０１の移動量となるので、図示する寸法Ｆとなる。すなわち、モニターユニット１０１の回転中心は、モニターユニット１０１が９０度回転されることにより、寸法Ｆだけ移動することになる。
【００３５】
図１９は、図２のＥ−Ｅ断面図のうち、リンクカバー内部近傍の断面図である。図示するように、ヒンジユニット１０２は、リンクカバー１０４およびリンクフレーム１１３側と、モニターユニット１０１を構成するモニターカバー３２５およびモニターフレーム３０９側との間に介在するように配置されている。リンクプレート３０２は、その底面においてリンクフレーム１１３と接続され固定されている。点線はリンクプレート３０２の底面を表す。リンクプレート３０２の底面は、図において、シャフト３０１に対して手前側に位置する。開閉カム３１０は、リンクプレート３０２の底面と接触摺動する。なお、ばね３１２は、シャフト３０１に対して奥側に位置する。
【００３６】
図２０は、図２のＥ−Ｅ断面図のうち、ヒンジカバー１０６内部近傍の断面図である。具体的には、ヒンジユニット１０５の構成を示す図である。上述のように、ヒンジユニット１０５は、互いに直交する第１の回転軸１１１と第２の回転軸１１２の２つの回転軸を有する。第１の回転軸１１１は、ヒンジユニット１０２の回転軸に直交する方向にモニターユニット１０１を回転させる回転軸であり、第２の回転軸１１２は、モニターユニット１０１を９０度以上に回転させる回転軸である。
【００３７】
カメラ本体１０３に一体的に設置されている第１固定プレート３３１から挿通された第１シャフト３３３と、同様にカメラ本体１０３に一体的に設置されている第２固定プレート３３２から挿通された第２シャフト３３４は、回転軸が一致するように配置されている。第１シャフト３３３および第２シャフト３３４に回転可能に支持されているシャーシ３３６には、ヒンジカバー１０６が固定されると共に、第３シャフト３３５を円周方向にカバーするケース３３７が取り付けられている。第１シャフト３３３には第２の回転軸１１２に沿う方向に開閉ばね３３８が設けられており、この方向のがたを取り除いている。また、クリックカム３３９は、モニターユニット１０１の回転角に応じてクリック感を与えるカムである。
【００３８】
第３シャフト３３５は、リンクフレーム１１３を支持することにより、モニターユニット１０１全体を第１の回転軸１１１周りに支持する。第３シャフト３３５には第１の回転軸１１１に沿う方向にスライドばね３４０が設けられている。上述のようにモニターユニット１０１は、モニター係止爪１０７による係止が解除されるとカメラ本体１０３から平行に押し出されるが、この動作は、スライドばね３４０がリンクフレーム１１３を押し出し方向に付勢することにより実現されている。つまり、スライドばね３４０とリンクフレーム１１３はスライド機構１０８を構成する。この機構によりモニターユニット１０１は、寸法Ｇだけ押し出される。
【００３９】
以上説明した本実施形態によれば、モニターユニット１０１の回転に伴って、モニターユニット１０１の回転軸１１０が平行に持ち上げられた。このとき、回転軸１１０周りにモニターユニット１０１の回転を実現するシャフト３０１自体がリンクプレート３０２の案内部３２４に沿って持ち上げられた。つまり、開閉カム３１０はモニターユニット１０１に固定されており、開閉カム３１０にはシャフト３０１が挿通されているので、シャフト３０１自体が持ち上げられる構成であった。しかし、シャフト３０１をリンクカバー１０４側に固定し、モニターフレーム３０９側に案内部３２４を設けることにより、シャフト３０１自体は移動させずに、回転軸１１０をモニターユニット１０１に対して相対的に移動させることができる。以下にこの変形例を説明する。
【００４０】
図２１は、変形例に係るヒンジユニット１５２のヒンジ機構の分解斜視図である。ヒンジユニット１０２と同様の要素については同一の符号を付す。図示するように中心軸３５０に沿って順に、シャフト３０１、リンクプレート３５１、クリックカム３０４、第１座金３０５、ばね座金３０６、第２座金３０７、ポリスライダー３０８、モニターフレーム３５２、ばねホルダー３０３、開閉カム３１０、ナット３１１が配置されており、全体をシャフト３０１が貫通して、シャフト３０１の先端に設けられたネジ部３２２とナット３１１が噛合して各要素を挟み込む構造を成す。
【００４１】
シャフト３０１にはキー溝３２１が設けられており、また、開閉カム３１０の貫通穴には平行キー３２３が設けられている。キー溝３２１と平行キー３２３が噛み合うことで、シャフト３０１と開閉カム３１０は一体的に回転できる。リンクプレート３５１は、リンクカバー１０４に固定されている。モニターフレーム３５２は、モニターユニット１０１に固定されるフレームであり、シャフト３０１を案内する案内部３５３を有する。案内部３５３は、図示するようにシャフト３０１を上下方向に平行移動させる長穴である。
【００４２】
ここで、モニターフレーム３５２はモニターユニット１０１に固定されているので、モニターユニット１０１がユーザにより回転されれば、モニターフレーム３５２も追従する。すると、案内部３５３の向きも回転に応じて変化するが、モニターフレーム３５２の底面で接触摺動する開閉カム３１０の作用により、モニターユニット１０１自体が、案内部３５３に沿って移動する。つまり、シャフト３０１はベース部材であるリンクプレート３５１に対して移動しないものの、モニターユニット１０１が軸支される位置が相対的に移動するので、モニターユニット１０１の回転中心である回転軸１１０は、案内部３５３に沿って移動することになる。
【００４３】
図２２は、変形例に係るリンクカバー内部近傍の断面図である。図示するように、ヒンジユニット１５２は、リンクカバー１０４およびリンクプレート３５１側と、モニターユニット１０１を構成するモニターカバー３２５、３５４側との間に介在するように配置されている。モニターフレーム３５２の底面は、図において、シャフト３０１に対して奥側に位置する。開閉カム３１０は、モニターフレーム３５２の底面と接触摺動する。なお、ばね３１２は、シャフト３０１に対して手前側に位置する。このように構成されたヒンジユニット１５２によれば、モニターユニット１０１は、回転されて９０度に近づくにつれカメラ本体１０３から遠ざかるように展開する。したがって、スライド機構１０８によるスライド量が小さい場合でも、カメラ本体１０３と干渉することなくモニターユニット１０１を開閉することができる。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００４５】
１００  カメラ、１０１  モニターユニット、１０２  ヒンジユニット、１０３  カメラ本体、１０４  リンクカバー、１０５  ヒンジユニット、１０６  ヒンジカバー、１０７  モニター係止爪、１０８  スライド機構、１０９  表示面、１１０  回転軸、１１１  第１の回転軸、１１２  第２の回転軸、１１３  リンクフレーム、１５２  ヒンジユニット、２００  カメラ、２０１  モニターユニット、２０２  ヒンジユニット、３０１  シャフト、３０２  リンクプレート、３０３  ばねホルダー、３０４  クリックカム、３０５  第１座金、３０６  ばね座金、３０７  第２座金、３０８  ポリスライダー、３０９  モニターフレーム、３１０  開閉カム、３１１  ナット、３１２  ばね、３２２  ネジ部、３２１  キー溝、３２３  平行キー、３２４  案内部、３２５  モニターカバー、３３１  第１固定プレート、３３２  第２固定プレート、３３３  第１シャフト、３３４  第２シャフト、３３５  第３シャフト、３３６  シャーシ、３３７  ケース、３３８  開閉ばね、３３９  クリックカム、３４０  スライドばね、３５０  中心軸、３５１  リンクプレート、３５２  モニターフレーム、３５３  案内部、３５４  モニターカバー、８００  カメラ、８０１  モニターユニット、８０２  ヒンジユニット、９００  カメラ、９０１  モニターユニット、９０２  ヒンジユニット
【図１】
2011176754.tif 000003
【図２】
2011176754.tif 000004
【図３】
2011176754.tif 000005
【図４】
2011176754.tif 000006
【図５】
2011176754.tif 000007
【図６】
2011176754.tif 000008
【図７】
2011176754.tif 000009
【図８】
2011176754.tif 000010
【図９】
2011176754.tif 000011
【図１０】
2011176754.tif 000012
【図１１】
2011176754.tif 000013
【図１２】
2011176754.tif 000014
【図１３】
2011176754.tif 000015
【図１４】
2011176754.tif 000016
【図１５】
2011176754.tif 000017
【図１６】
2011176754.tif 000018
【図１７】
2011176754.tif 000019
【図１８】
2011176754.tif 000020
【図１９】
2011176754.tif 000021
【図２０】
2011176754.tif 000022
【図２１】
2011176754.tif 000023
【図２２】
2011176754.tif 000024